(57)【特許請求の範囲】
【請求項１】
撮影して得られた撮影画像データに関連する複数文字の文字コードを取得する取得手段と、
上記取得手段により取得された複数の文字コードを画像化し、上記撮影画像データの所定の一辺の構成画素数に応じた大きさの１枚の画像データである文字画像データを生成する画像化手段と、
上記画像化手段により生成された文字画像データを、上記所定の一辺の大きさを合わせて上記撮影画像データに合成する合成手段と、
を備えた画像編集装置であって、
上記撮影画像データの縦、横いずれかに余白としての画像データを追加することで、アスペクト比が調整された撮影画像データを生成するアスペクト比調整手段とを更に備え、
上記画像化手段は、上記アスペクト比調整手段によりアスペクト比が調整された後の撮影画像データに対応した大きさで上記文字画像データを生成することを特徴とする画像編集装置。
【請求項２】
上記アスペクト比調整手段は、上記撮影画像データのアスペクト比と予め決められたアスペクト比とが異なる場合に、該撮影画像データの縦、横いずれかに余白としての画像データを追加することで、予め決められたアスペクト比に調整された撮影画像データを生成することを特徴とする請求項１記載の画像編集装置。
【請求項３】
上記合成手段は、上記撮影画像データにおける上記所定の一辺の部分に上記文字画像データを重ね合わせるようにして合成することを特徴とする請求項１または２記載の画像編集装置。
【請求項４】
上記合成手段は、上記撮影画像データと上記文字画像データとが重ならないようにして合成することを特徴とする請求項３記載の画像編集装置。
【請求項５】
上記アスペクト比調整手段は、上記撮影画像データを縮小し、この縮小された分だけ左右に余白としての画像データを追加することで、アスペクト比が調整された撮影画像データを生成することを特徴とする請求項４記載の画像編集装置。
【請求項６】
上記撮影画像データと、この撮影画像データに関連する文字情報とを指定された転送先装置に対して出力する出力手段と、
上記指定された転送先装置が上記文字情報の文字コードを画像化して表示する機能を有しているか否かを判断する判断手段と、
上記判断手段により上記転送先装置が上記文字コードを画像化して表示する機能を有していると判断された場合には、上記画像化手段による画像化および上記合成手段による合成を行わず、上記判断手段により上記転送先装置が上記文字コードを画像化して表示する機能を有していないと判断された場合には、上記画像化手段による画像化および上記合成手段による合成を行う制御手段と、
を更に備えたことを特徴とする請求項１乃至５のいずれかに記載の画像編集装置。
【請求項７】
上記出力手段は、上記撮影画像データと、この撮影画像データに関連する文字情報とを指定された転送先装置に対して出力する際に、上記制御手段による制御に応じて、上記画像化手段により画像データの形態への変換が行われた後の上記文字情報または画像データの形態への変換が行われる前の上記文字情報を、該撮影画像データと関連付けて出力させることを特徴とする請求項６記載の画像編集装置。
【請求項８】
上記出力手段は、上記文字画像データと、上記撮影画像データとに互いのファイル名の一部が共通するようなファイル名を付加することによって関連付けて出力することを特徴とする請求項７記載の画像編集装置。
【請求項９】
上記出力制御手段は、上記文字画像データと、上記撮影画像データとをデータテーブルにおいて関連付けて出力することを特徴とする請求項７記載の画像編集装置。
【請求項１０】
上記出力制御手段は、上記文字画像データと、上記撮影画像データとを１つの画像データファイルとして関連付けて出力することを特徴とする請求項７記載の画像編集装置。
【請求項１１】
撮影して得られた撮影画像データに関連する複数文字からなる文字情報を、該撮影画像データに関連付けて文字コードの形態で記憶する文字コード記憶手段と、上記文字コード記憶手段に記憶されている文字情報を指定された転送先装置に対して出力する文字情報出力手段とを有する画像編集装置であって、
上記文字情報出力手段により文字情報を出力する毎に、上記指定された転送先装置が上記文字コードを画像化して表示する機能を有しているか否かを判断する判断手段と、
上記判断手段により上記転送先装置が上記文字コードを画像化して表示する機能を有していると判断された際に出力対象となっている文字情報については、この文字情報に対応する複数の文字コードの画像化を行わず、上記判断手段により上記転送先装置が上記文字コードを画像化して表示する機能を有していないと判断された際に出力対象となっている文字情報については、この文字情報に対応する複数の文字コードを画像化して１枚の画像データの形態の文字情報を生成する画像化手段と、
上記画像化手段により１枚の画像データの形態へと変換した文字情報については、この１枚の画像データの形態に変換した文字情報を上記転送先装置に対して出力させる出力制御手段と、
上記撮影画像データのアスペクト比と予め決められたアスペクト比とが異なる場合には、該撮影画像データの縦、横いずれかに余白としての画像データを追加することで、予め決められたアスペクト比に調整された撮影画像データを生成するアスペクト比調整手段と、
を具備し、
上記出力制御手段は、上記撮影画像データを指定された転送先装置に対して出力する際に、上記文字情報が上記画像化手段により画像化されている場合には、上記撮影画像データと上記１枚の画像データの形態の文字情報とを、上記所定の一辺の大きさを合わせて合成して出力させ、
上記画像化手段は、上記アスペクト比調整手段により予め決められたアスペクト比に調整された後の撮影画像データの所定の一辺の構成画素数に応じた大きさで上記１枚の画像データの形態の文字情報を生成することを特徴とする画像編集装置。
【請求項１２】
文字情報を画像化する機能を備えた画像編集装置のコンピュータを、
撮影して得られた撮影画像データに関連する複数文字の文字コードを取得する取得手段と、
上記取得手段により取得された複数の文字コードを画像化し、上記撮影画像データの所定の一辺の構成画素数に応じた大きさの１枚の画像データである文字画像データを生成する画像化手段と、
上記画像化手段により生成された文字画像データを、上記所定の一辺の大きさを合わせて上記撮影画像データに合成する合成手段と、
上記撮影画像データの縦、横いずれかに余白としての画像データを追加することで、アスペクト比が調整された撮影画像データを生成するアスペクト比調整手段と、
して機能させるためのプログラムを記録した記録媒体であって、
上記画像化手段は、上記アスペクト比調整手段によりアスペクト比が調整された後の撮影画像データに対応した大きさで上記文字画像データを生成することを特徴とするプログラムを記録した記録媒体。
【発明の詳細な説明】
【技術分野】
【０００１】
本発明は、例えばデジタルカメラで撮像した画像データを読み込んで編集等を行なう、パーソナルコンピュータ等の画像編集装置及び記録媒体に関する。
【背景技術】
【０００２】
従来、デジタルカメラで撮像した画像データを読出し、パーソナルコンピュータでレタッチソフトなどと呼称されている編集ソフトを使用して種々の編集作業を行なっている。
【０００３】
しかして、例えばパーソナルコンピュータでその画像データに任意の文字種を用いたタイトルやファイル名等の付加情報を付加設定したものとして、そのタイトルが付加された画像データを元のデジタルカメラに再転送し、デジタルカメラ内の記憶媒体に記憶させることも考えられる。
【発明の開示】
【発明が解決しようとする課題】
【０００４】
しかしながら、一般にデジタルカメラにおいては、画像データをシリアル番号等で画一的に管理するのみであり、かな文字や漢字などの文字フォントを有していないので、画像データにタイトルが付加されていたとしても、それを表示することはできない。
【０００５】
本発明は上記のような実情に鑑みてなされたもので、その目的とするところは、画像データに対してそのタイトルを入力設定した場合に、その画像データの転送先の機器に合わせて、設定したタイトルを表示させることができるような画像編集装置及び記録媒体を提供することにある。
【課題を解決するための手段】
【０００６】
請求項１記載の発明は、撮影して得られた撮影画像データに関連する複数文字の文字コードを取得する取得手段と、上記取得手段により取得された複数の文字コードを画像化し、上記撮影画像データの所定の一辺の構成画素数に応じた大きさの１枚の画像データである文字画像データを生成する画像化手段と、上記画像化手段により生成された文字画像データを、上記所定の一辺の大きさを合わせて上記撮影画像データに合成する合成手段と、を備えた画像編集装置であって、上記撮影画像データの縦、横いずれかに余白としての画像データを追加することで、アスペクト比が調整された撮影画像データを生成するアスペクト比調整手段とを更に備え、上記画像化手段は、上記アスペクト比調整手段によりアスペクト比が調整された後の撮影画像データに対応した大きさで上記文字画像データを生成することを特徴とする。
【０００７】
また、請求項２の発明は、上記アスペクト比調整手段は、上記撮影画像データのアスペクト比と予め決められたアスペクト比とが異なる場合に、該撮影画像データの縦、横いずれかに余白としての画像データを追加することで、予め決められたアスペクト比に調整された撮影画像データを生成することを特徴とする。
【０００８】
また、請求項３の発明は、上記合成手段は、上記撮影画像データにおける上記所定の一辺の部分に上記文字画像データを重ね合わせるようにして合成することを特徴とする。
【０００９】
また、請求項４の発明にあっては、上記合成手段は、上記撮影画像データと上記文字画像データとが重ならないようにして合成することを特徴とする。
【００１０】
また、請求項５の発明にあっては、上記アスペクト比調整手段は、上記撮影画像データを縮小し、この縮小された分だけ左右に余白としての画像データを追加することで、アスペクト比が調整された撮影画像データを生成することを特徴とする。
【００１１】
また、請求項６の発明にあっては、上記撮影画像データと、この撮影画像データに関連する文字情報とを指定された転送先装置に対して出力する出力手段と、上記指定された転送先装置が上記文字情報の文字コードを画像化して表示する機能を有しているか否かを判断する判断手段と、上記判断手段により上記転送先装置が上記文字コードを画像化して表示する機能を有していると判断された場合には、上記画像化手段による画像化および上記合成手段による合成を行わず、上記判断手段により上記転送先装置が上記文字コードを画像化して表示する機能を有していないと判断された場合には、上記画像化手段による画像化および上記合成手段による合成を行う制御手段と、を更に備えたことを特徴とする。
【００１２】
また、請求項７の発明にあっては、上記出力手段は、上記撮影画像データと、この撮影画像データに関連する文字情報とを指定された転送先装置に対して出力する際に、上記制御手段による制御に応じて、上記画像化手段により画像データの形態への変換が行われた後の上記文字情報または画像データの形態への変換が行われる前の上記文字情報を、該撮影画像データと関連付けて出力させることを特徴とする。
【００１３】
また、請求項８の発明にあっては、上記出力手段は、上記文字画像データと、上記撮影画像データとに互いのファイル名の一部が共通するようなファイル名を付加することによって関連付けて出力することを特徴とする。
【００１４】
また、請求項９の発明にあっては、上記出力制御手段は、上記文字画像データと、上記撮影画像データとをデータテーブルにおいて関連付けて出力することを特徴とする。
【００１５】
また、請求項１０の発明にあっては、上記出力制御手段は、上記文字画像データと、上記撮影画像データとを１つの画像データファイルとして関連付けて出力することを特徴とする。
【００１６】
また、請求項１１の発明にあっては、撮影して得られた撮影画像データに関連する複数文字からなる文字情報を、該撮影画像データに関連付けて文字コードの形態で記憶する文字コード記憶手段と、上記文字コード記憶手段に記憶されている文字情報を指定された転送先装置に対して出力する文字情報出力手段とを有する画像編集装置であって、上記文字情報出力手段により文字情報を出力する毎に、上記指定された転送先装置が上記文字コードを画像化して表示する機能を有しているか否かを判断する判断手段と、上記判断手段により上記転送先装置が上記文字コードを画像化して表示する機能を有していると判断された際に出力対象となっている文字情報については、この文字情報に対応する複数の文字コードの画像化を行わず、上記判断手段により上記転送先装置が上記文字コードを画像化して表示する機能を有していないと判断された際に出力対象となっている文字情報については、この文字情報に対応する複数の文字コードを画像化して１枚の画像データの形態の文字情報を生成する画像化手段と、上記画像化手段により１枚の画像データの形態へと変換した文字情報については、この１枚の画像データの形態に変換した文字情報を上記転送先装置に対して出力させる出力制御手段と、上記撮影画像データのアスペクト比と予め決められたアスペクト比とが異なる場合には、該撮影画像データの縦、横いずれかに余白としての画像データを追加することで、予め決められたアスペクト比に調整された撮影画像データを生成するアスペクト比調整手段と、を具備し、上記出力制御手段は、上記撮影画像データを指定された転送先装置に対して出力する際に、上記文字情報が上記画像化手段により画像化されている場合には、上記撮影画像データと上記１枚の画像データの形態の文字情報とを、上記所定の一辺の大きさを合わせて合成して出力させ、上記画像化手段は、上記アスペクト比調整手段により予め決められたアスペクト比に調整された後の撮影画像データの所定の一辺の構成画素数に応じた大きさで上記１枚の画像データの形態の文字情報を生成することを特徴とする。
【００１７】
また、請求項１２の発明にあっては、文字情報を画像化する機能を備えた画像編集装置のコンピュータを、撮影して得られた撮影画像データに関連する複数文字の文字コードを取得する取得手段と、上記取得手段により取得された複数の文字コードを画像化し、上記撮影画像データの所定の一辺の構成画素数に応じた大きさの１枚の画像データである文字画像データを生成する画像化手段と、上記画像化手段により生成された文字画像データを、上記所定の一辺の大きさを合わせて上記撮影画像データに合成する合成手段と、上記撮影画像データの縦、横いずれかに余白としての画像データを追加することで、アスペクト比が調整された撮影画像データを生成するアスペクト比調整手段と、して機能させるためのプログラムを記録した記録媒体であって、上記画像化手段は、上記アスペクト比調整手段によりアスペクト比が調整された後の撮影画像データに対応した大きさで上記文字画像データを生成することを特徴とする。
【発明の効果】
【００２４】
本発明によれば、撮影して得られた撮影画像データに関連する複数文字の文字コードを画像化した文字画像データを、所定の一辺の大きさを合わせて撮影画像データに合成する機能を備えた画像編集装置において、撮影画像データの縦、横いずれかに余白としての画像データを追加してアスペクト比を調整し、このアスペクト比が調整された後の撮影画像データに対応した大きさで文字画像データを生成するようにしたので、アスペクト比を調整した状態で撮影画像データと文字画像データとを合成することが可能となる。
【発明を実施するための最良の形態】
【００３３】
以下本発明を、パーソナルコンピュータとデジタルカメラを接続したシステムにおいて、デジタルカメラで撮像した画像データをパーソナルコンピュータに転送してタイトルを入力設定し、このタイトルを設定した画像データを再びデジタルカメラに再転送してデジタルカメラの表示部で表示させる場合の実施の一形態について図面を参照して説明する。
【００３４】
図１はシステム全体の構成を示すもので、１がノートブックタイプのパーソナルコンピュータ（ＰＣ）、２が静止画像の撮像を行なうデジタルカメラであり、これらＰＣ１とデジタルカメラ２とを高速シリアルインタフェース、例えばＵＳＢ（Ｕｎｉｖｅｒｓａｌ Ｓｅｒｉａｌ Ｂｕｓ）に則った接続ケーブル３を用いてそれぞれの対応端子に接続するものとする。
【００３５】
図２は上記ＰＣ１の回路構成を示すもので、１１が全体の動作制御を司るＣＰＵであり、このＣＰＵ１１に対し、バスを介してＲＯＭ１２、ＲＡＭ１３、ＵＳＢインタフェース（Ｉ／Ｆ）１４、キー入力部１５、ハードディスク装置（ＨＤＤ）１６、フロッピーディスク装置１７、ＣＤ−ＲＯＭ装置１８、及び表示部１９が接続される。
【００３６】
ＲＯＭ１２は、ＢＩＯＳ（基本入出力システム）その他を固定記憶するものであり、またＲＡＭ１３はＣＰＵ１１の処理データを一時的に記憶するワークメモリ等を有する。
【００３７】
ＵＳＢインタフェース１４は、上記接続ケーブル３を接続することにより本実施の形態ではデジタルカメラ２との間で画像データの送受を行なう。
【００３８】
キー入力部１５は、例えばＱＷＥＲＴＹ配列のキーボード及びマウスとそれらの各インタフェースとからなり、タイトルの入力や動作指示等を行なう。
【００３９】
ハードディスク装置１６は、ＯＳ（オペレーティングシステム）、画像データを送受し、且つ画像データの編集をするためのアプリケーションプログラム（以下「レタッチソフト」と略称する）を含んだ各種アプリケーションプログラム、及びこれらプログラムで取り扱われる各種データを記憶する。
【００４０】
フロッピーディスク装置１７は、文書ファイル等の比較的容量の小さなデータを記憶する。
【００４１】
ＣＤ−ＲＯＭ装置１８は、記録媒体としてセットされたＣＤ−ＲＯＭに記録されている各種プログラム、画像ファイル、辞書ファイル、音楽ファイル等を読出してＣＰＵ１１へ送出する。
【００４２】
表示部１９は、例えばＴＦＴカラー液晶パネルとビデオＲＡＭを含んだその駆動回路とから構成されるもので、上記レタッチソフトの動作時には送受信した画像データやタイトル等を表示する。
【００４３】
なお、上記ハードディスク装置１６に記憶される各種プログラム、画像ファイル、辞書ファイル、音楽ファイル等は、ＣＤ−ＲＯＭ装置１８に装着したＣＤ−ＲＯＭからではなく、例えば各種ネットワークを介してダウンロードするようにしてもよい。
【００４４】
次に、図３によりデジタルカメラ２の回路構成について説明する。このデジタルカメラ２は、記録モードと再生モードとを設定可能であり、記録モードの状態においては、レンズ２１の後方に配置された、カラーフィルタを有するＣＣＤ２２が一定周期毎に走査駆動されて、その光電変換出力を１画面分ずつ出力する。
【００４５】
この光電変換出力は、Ａ／Ｄ変換器２３でデジタルデータに変換され、カラープロセス回路２４でカラープロセス処理が行なわれて、得られたデジタル値の輝度信号Ｙ及び色差信号Ｃｂ，ＣｒがＤＭＡ（Ｄｉｒｅｃｔ Ｍｅｍｏｒｙ Ａｃｃｅｓｓ）コントローラ２５に出力される。
【００４６】
ＤＭＡコントローラ２５は、カラープロセス回路２４の出力する輝度信号Ｙ及び色差信号Ｃｂ，Ｃｒを一度内部のバッファに書込み、ＤＲＡＭインタフェース（Ｉ／Ｆ）２６を介してＤＲＡＭ２７にＤＭＡ転送を行なう。
【００４７】
制御部２８は、上記輝度及び色差信号のＤＲＡＭ２７へのＤＭＡ転送終了後に、この輝度及び色差信号をＤＲＡＭインタフェース２６を介してＤＲＡＭ２７より読出し、表示コントローラ２９を介してＶＲＡＭ３０に書込む。
【００４８】
表示コントローラ２９は、上記輝度及び色差信号をＶＲＡＭ３０より定期的に読出し、これらのデータを元にビデオ信号を発生して表示部３１に出力する。
【００４９】
この表示部３１は、例えばバックライト付のカラー液晶表示パネルとその駆動回路とで構成され、カメラの背面側に配設されて、記録モード時にはＥＶＦ（Ｅｌｅｃｔｒｏｎｉｃ Ｖｉｅｗ Ｆｉｎｄｅｒ：電子ビューファインダ）として機能するもので、表示コントローラ２９からのビデオ信号に基づいた表示を行なうことで、その時点でＶＲＡＭ３０に取込んでいる画像情報に基づく画像を表示することとなる。
【００５０】
そして、このように表示部３１にその時点での画像がリアルタイムに表示されている状態で、記録保存を行ないたいタイミングでキー入力部３２を構成するシャッタキーを操作すると、トリガ信号を発生する。
【００５１】
制御部２８は、このトリガ信号に応じてその時点でＣＣＤ２２から取込んでいる１画面分の輝度及び色差信号のＤＲＡＭ２７へのＤＭＡ転送の終了後、直ちにＣＣＤ２２からのＤＲＡＭ２７への経路を停止し、記録保存の状態に遷移する。
【００５２】
この記録保存の状態では、制御部２８がＤＲＡＭ２７に書込まれている１フレーム分の輝度及び色差信号をＤＲＡＭインタフェース２６を介してＹ，Ｃｂ，Ｃｒの各コンポーネント毎に縦８画素×横８画素の基本ブロックと呼称される単位で読出してＪＰＥＧ回路３３に書込み、このＪＰＥＧ回路３３でＡＤＣＴ（Ａｄａｐｔｉｖｅ Ｄｉｓｃｒｅｔｅ Ｃｏｓｉｎｅ Ｔｒａｎｓｆｏｒｍ：適応離散コサイン変換）、エントロピ符号化方式であるハフマン符号化等の処理により圧縮した画像の符号データを該ＪＰＥＧ回路３３から読出して、このデジタルカメラ２の記録媒体となる、不揮発性メモリであるフラッシュメモリ３４に書込む。
【００５３】
このとき、同時に位置センサ３５から得られるセンサ出力に対応して必要により、例えばデジタルカメラ２を９０°回転して縦位置での撮像を行なった場合に、制御部２８は画像の符号データに位置フラグ情報を付加して書き込ませる。
【００５４】
そして、１フレーム分の輝度及び色差信号の圧縮処理及びフラッシュメモリ３４への全圧縮データの書込み終了に伴なって、制御部２８は再度ＣＣＤ２２からＤＲＡＭ２７への経路を起動する。
【００５５】
なお、上記キー入力部３２は、上述したシャッタキーの他に、記録（ＲＥＣ）モードと再生（ＰＬＡＹ）モードとを切換える録／再モード切換えキー、画像選択のためのカーソルキーや「実行」キー等から構成され、キー操作に伴なう信号は直接制御部２８へ送出される。
【００５６】
また、再生モードでは、制御部２８はＣＣＤ２２からＤＲＡＭ２７への経路を停止し、キー入力部３２による画像選択のためのキー操作に応じて制御部２８がフラッシュメモリ３４から特定の１フレーム分の符号データを読出してＪＰＥＧ回路３３に書込み、ＪＰＥＧ回路３３で伸長処理を行なって得られた縦８画素×横８画素の基本ブロック単位に、表示コントローラ２９からＶＲＡＭ３０へ１フレーム分のＹＵＶデータを展開記憶させる。
【００５７】
すると、表示コントローラ２９は、ＶＲＡＭ３０に展開記憶されている１フレーム分のＹＵＶデータを元にビデオ信号を発生し、表示部３１で表示させる。
【００５８】
また、制御部２８にはＵＳＢインタフェース（Ｉ／Ｆ）３６も接続されている。このＵＳＢインタフェース３６は、上記接続ケーブル３を接続することにより本実施の形態ではＰＣ１との間で、フラッシュメモリ３４に記憶した画像データを読出してＰＣ１へ送信し、またＰＣ１から送られてきた画像データをフラッシュメモリ３４に書込ませるなど、デジタルカメラ２との間で画像データの送受を行なう。
【００５９】
次に上記実施の形態の動作について説明する。
【００６０】
ここでは、デジタルカメラ２で撮像し、その記憶媒体であるフラッシュメモリ３４に記憶した画像データを、接続ケーブル３でＰＣ１と接続することによりＰＣ１側に読出し、このＰＣ１において画像の内容に対応したタイトル画像を付加設定した後に再びデジタルカメラ２に転送して記憶させる場合の、主としてＰＣ１における処理内容について説明するものとする。
【００６１】
図４は、デジタルカメラ２から画像データを取込んだＰＣ１が、ハードディスク装置１６に記憶されているレタッチソフトを起動してタイトルを入力し、当該画像データに付加設定した後に再びデジタルカメラ２に転送出力するまでの主としてＣＰＵ１１による概略処理を示すものであり、その当初にはデジタルカメラ２から読出した画像データが縦長のものであるか否かを、画像データに添付されている位置フラグ情報の内容により判断する（ステップＳ０１）。
【００６２】
ここで、位置フラグ情報の内容により画像データが縦長のものであると判断された場合にのみ、該位置フラグ情報の内容を書換え、画像データを９０°回転した横長のものとして再設定する（ステップＳ０２）。
【００６３】
このとき、合わせて位置フラグ情報の内容も横長のものとして書換え設定する。
【００６４】
次いで、その画像データを構成する縦横の各ドット数により、アスペクト比（縦横比）が予め指定される値、例えば縦３：横４であるか否かを判断する（ステップＳ０３）。
【００６５】
ここで、画像データのアスペクト比が指定の値でなかった場合にのみ、指定の値となるように画像データの構成ドット数を変換する処理を実行する（ステップＳ０４）。
【００６６】
これは、元の画像データの縦、横いずれかに余白としての黒画像データを追加することで、指定のアスペクト比となるように変換するもので、具体的には、指定のアスペクト比に比してさらに横に長い場合には当該画像の上下に、また、さらに縦に長い場合には当該画像の左右に、それぞれ同一幅となる黒画像データを余白として追加する。
【００６７】
その後、この画像データの転送先装置であるデジタルカメラ２が文字コードデータを画像化して表示する機能を有しているか可能であるか否か、すなわち、デジタルカメラ２に文字コードから文字キャラクタのドットパターンを発生するキャラクタジェネレータその他の回路が搭載されているか否かを判断する（ステップＳ０５）。
【００６８】
文字の表示機能がないと判断した場合にのみ、入力されたタイトルを指定のサイズの画像データに変換する（ステップＳ０６）。
【００６９】
ここでは、デジタルカメラ２に文字表示機能がないものとして、このステップＳ０６での処理を実行するもので、例えばタイトルが
「家族旅行１        99/03/03」
なるものであり、このタイトルを添付する画像データのサイズが１／４ＶＧＡ、すなわち縦２４０ドット×横３２０ドット、これに対応するタイトルの指定サイズが縦２４ドット×横３２０ドットであるとすると、上記変換により得られるタイトルの画像データは図５に示すようなものとなる。
【００７０】
次いで、上記ステップＳ０１〜Ｓ０４の処理により必要により方向、アスペクト比等を編集した画像データと、上記ステップＳ０５，Ｓ０６の処理により必要により画素データに変換したタイトルとを、ＵＳＢインタフェース３６によりデジタルカメラ２に対して転送出力し（ステップＳ０７）、以上でこの図４の処理を終了する。
【００７１】
図６はこのようにＰＣ１から転送されてきた画像データその他をデジタルカメラ２のフラッシュメモリ３４に記憶させた場合のデータファイル構成を例示するもので、このフラッシュメモリ３４におけるシリアル番号データＤ１、撮像時の日時データＤ２、画像サイズデータＤ３、文字コードデータによるタイトルデータＤ４、画像の縦横を示す位置フラグ情報Ｄ５に続いて、本画像データＤ６と、タイトル画像データＤ７とが１組のデータファイルとして記憶されることとなる。
【００７２】
次に、この図６に示したようなタイトルを付加設定した画像データのファイルを多くフラッシュメモリ３４に記憶しているデジタルカメラ２において、再生モード時に上記タイトルの画像データを用いることで、任意の画像を選択して表示部３１で選択させる場合の動作について簡単に説明する。
【００７３】
なお、ここでは、表示部３１の表示容量が縦２４０ドット×横３２０ドットであるものとして説明する。
【００７４】
図７は、デジタルカメラ２で再生モード時に、フラッシュメモリ３４に記憶した画像データをそのタイトルにより検索する場合の表示画面を例示するもので、フラッシュメモリ３４に記憶している複数の画像データファイルがそれぞれ上記図６で示したようなタイトルの画像データ（タイトル画像データ）を有しているものとすると、それらタイトル画像データを用い、それぞれの画像データを若干縮小してその先頭の６つをシリアル番号と共に表示している。
【００７５】
図中、先頭に位置するタイトル「家族写真１‥‥」を反転表示して選択状態にあることを示すと共に、また、画面下部に記号「▽」を用いて表示することで、画面に表示されていない他のタイトル画像データがまだあることを示しており、画像選択のためのキー操作を行なうことで、画面がスクロールされることがわかる。
【００７６】
しかして、上記図７に示したタイトル画像データ「家族写真１‥‥」が選択された状態でその画像を表示させるために「実行」キーを操作すると、対応する本画像データがフラッシュメモリ３４から読出され、読出した本画像データをＪＰＥＧ回路３３が伸長処理を施して１フレーム分のＹＵＶデータを得、これを表示コントローラ２９がＶＲＡＭ３０に展開記憶させた上でビデオ信号を発生し、例えば図８に示すように表示部３１で表示させる。
【００７７】
また、この再生モード時に、画像に合わせてタイトルも表示するようなモード設定を行なうものとし、上記図８の表示に代えて、図９に示すように本画像の一部、例えば下端部にタイトル画像を重ねるように合成した画像を表示させるようにしてもよい。
【００７８】
この場合、選択した画像中のタイトル画像が重なった部分は隠れてしまい、見ることができなくなる。
【００７９】
さらに、このタイトル画像によって見えなくなってしまう部分がないように、図１０に示す如く本画像全体を若干縮小してその分だけ左右に余白画像を付加した上で、タイトル画像と共に表示させるようにしてもよい。
【００８０】
この場合、選択した画像を部分的に損なうことなくタイトル画像と共に表示させることができるものであるが、言うまでもなく、選択した画像自体は縮小される。
【００８１】
上記実施例では、タイトル画像データと本画像データとをひとつのファイルに収納するように構成したが、転送された本画像データとタイトル画像データはお互いのデータが関連していることがわかるように、例えば、ファイル名の一部が共通するような類似したファイル名をそれぞれに付加した２つの画像データとして転送しても良い。
【００８２】
この場合、デジタルカメラ２側でタイトル画像データを見ることにより本画像データの内容をだいたい把握することができ、類似したファイル名からその本画像データを容易に探すことができるし、転送された本画像データと画素データに変換したタイトル画像データのファイル名の先頭を共通としておけば、画像データをファイル名でソートして順次表示させた場合にはタイトル画像データと本画像データとが連続して表示されるので使いやすい。
【００８３】
また、本画像データとタイトル画像データに変換したタイトルのファイルがデータテーブルにおいて関連付けがなされ、そのデータテーブルも一緒に転送するようにしても良い。
【００８４】
この場合、本画像データとタイトル画像データが関連付けされているのでデジタルカメラ２側のソフト処理で、上記の実施例の図７、図８に示した如くタイトル画像データから本画像データを表示することができる。
【００８５】
さらに、再生モード時に図９、図１０のような合成した画像を表示させるようにしたが、ＰＣ１において画像データと画素データに変換したタイトルを合成画像として作成してから、デジタルカメラ２に転送してもよい。
【００８６】
なお、上記実施の形態においては、ＰＣ１とデジタルカメラ２とを高速シリアルインタフェース仕様であるＵＳＢの接続ケーブル３で接続し、デジタルカメラ２で撮像した画像データを一旦ＰＣ１に転送してタイトルを入力設定し、このタイトルを設定した画像データを再びデジタルカメラ２に再転送してデジタルカメラ２の表示部３１で表示させる場合について説明したが、本発明は、始めに画像データを取得する手段、タイトルを入力する装置、入力したタイトルからその画像データを作成する装置、画像データを転送するインタフェース仕様、転送されてきた画像データ及びタイトルの画像データを表示する装置、等に関してそれぞれ限定するものではない。
【００８７】
例えばタイトルを入力する装置などは手書き入力ができる機能を持った装置でもよく、その場合には表示した画像に対してタイトルをメモをする感覚で入力できる。また、当然、タイトル等の画像データも任意に設定でき、さらにインタフェース仕様などもＩｒＤＡなどの光通信や無線等、さまざまなものが可能であることは言うまでもない。
【００８８】
その他、本発明はその要旨を逸脱しない範囲内で種々変形して実施することが可能であるものとする。
させることができる。
【図面の簡単な説明】
【００８９】
【図１】本発明の実施の一形態に係るシステム全体の構成を示す斜視図。
【図２】同実施の形態に係るパーソナルコンピュータの回路構成を示すブロック図。
【図３】同実施の形態に係るデジタルカメラの回路構成を示すブロック図。
【図４】同実施の形態に係るパーソナルコンピュータでのタイトル画像の添付から転送に至る処理内容を示すフローチャート。
【図５】同実施の形態に係る、文字コードデータから作成されたタイトルの画像データを例示する図。
【図６】同実施の形態に係る画像データのファイル構成を例示する図。
【図７】同実施の形態に係る再生モード時のメニュー表示画面を例示する図。
【図８】同実施の形態に係る画像データの表示画面を例示する図。
【図９】同実施の形態に係る画像データの表示画面を例示する図。
【図１０】同実施の形態に係る画像データの表示画面を例示する図。
【符号の説明】
【００９０】
１…パーソナルコンピュータ（ＰＣ）
２…デジタルカメラ
３…接続ケーブル
１１…ＣＰＵ
１２…ＲＯＭ
１３…ＲＡＭ
１４…ＵＳＢインタフェース（Ｉ／Ｆ）
１５…キー入力部
１６…ハードディスク装置（ＨＤＤ）
１７…フロッピーディスク装置（ＦＤＤ）
１８…ＣＤ−ＲＯＭ装置
１９…表示部
２１…レンズ
２２…ＣＣＤ
２３…Ａ／Ｄ変換器
２４…カラープロセス回路
２５…ＤＭＡコントローラ
２６…ＤＲＡＭインタフェース（Ｉ／Ｆ）
２７…ＤＲＡＭ
２８…制御部
２９…表示コントローラ
３０…ＶＲＡＭ
３１…表示部
３２…キー入力部
３３…ＪＰＥＧ回路
３４…フラッシュメモリ
３５…位置センサ
３６…ＵＳＢインタフェース（Ｉ／Ｆ）
【図１】
0004752894.tif 000002
【図２】
0004752894.tif 000003
【図３】
0004752894.tif 000004
【図４】
0004752894.tif 000005
【図５】
0004752894.tif 000006
【図６】
0004752894.tif 000007
【図７】
0004752894.tif 000008
【図８】
0004752894.tif 000009
【図９】
0004752894.tif 000010
【図１０】
0004752894.tif 000011